(57)【特許請求の範囲】
【請求項１】
電子楽器本体に連設固定された固定台と、
前記固定台の上部前面に設けられた蝶番と、
前記固定台に前記蝶番を中心として回動自在に取り付けられ角度変更可能に構成された譜面台と、
前記固定台に回動自在に取り付けられたステイと、
前記譜面台の裏面に設けられ、係止部を有する第１の溝と回帰用の第２の溝とでループが形成されるガイド部と、
前記ステイを前記譜面台の方向に付勢する付勢手段とを備え、
前記ガイド部に前記ステイの回動端部を嵌合させると共に、前記譜面台の回動に伴い前記ステイが回動し該ステイの回動端部が前記ガイド部にガイドされて前記ループ内をスライド移動可能に構成し、
前記ステイの回動端部が前記ループにおける前記第１の溝にあるときに前記譜面台の回動操作を止めることで、前記付勢手段の付勢力により前記ステイの回動端部が前記譜面台の方向に移動し、該回動端部が前記第１の溝の係止部に係止されて前記譜面台が所定角度位置で保持され得るように構成したことを特徴とする電子楽器の外装構造。
【請求項２】
電子楽器本体に連設固定された固定台と、
該固定台に回動自在に取り付けられ角度変更可能に構成された譜面台と、
前記固定台に回動自在に取り付けられたステイと、
前記譜面台の裏面に設けられ、係止部を有する第１の溝と回帰用の第２の溝とでループが形成されるガイド部と、
前記ステイを前記譜面台の方向に付勢する付勢手段とを備え、
前記ガイド部に前記ステイの回動端部を嵌合させると共に、前記譜面台の回動に伴い前記ステイが回動し該ステイの回動端部が前記ガイド部にガイドされて前記ループ内をスライド移動可能に構成し、
前記ステイの回動端部が前記ループにおける前記第１の溝にあるときに前記譜面台の回動操作を止めることで、前記付勢手段の付勢力により前記ステイの回動端部が前記譜面台の方向に移動し、該回動端部が前記第１の溝の係止部に係止されて前記譜面台が所定角度位置で保持され得るように構成し、
さらに、前記第１の溝と前記第２の溝との間に、一方向にのみ撓み得るように設けられた逆止部材を備え、該逆止部材が前記一方向に撓んだときにのみ、前記第１の溝と前記第２の溝とが連通状態とされて、前記ループにおける前記第１の溝から前記第２の溝への前記ステイの前記回動端部の移動が可能となるように構成したことを特徴とする電子楽器の外装構造。
【請求項３】
前記固定台は、鍵盤の後方において前記電子楽器本体の上部に配設されたスピーカボックスであって、前記電子楽器本体の略全幅に等しい幅を有することを特徴とする請求項１または２記載の電子楽器の外装構造。
【発明の詳細な説明】
【０００１】
【発明の属する技術の分野】
本発明は、譜面台を備えた電子楽器の外装構造に関する。
【０００２】
【従来の技術】
従来、楽器の外装構造において、譜面台の角度が変更可能に構成された譜面台の取り付け構造が知られている。例えば、ピアノ本体の上前板の前面に譜面台を回動自在に設け、ピンと係止部との係合により譜面台の傾きを所定の角度で保持するようにしたものがある。この譜面台の取り付け構造では、譜面台側に回動自在に設けた支杆の先端部に上記ピンを設けると共に、ピアノ本体の上前板側に設けた受け具に上記係止部を形成し、譜面台を適当位置まで回動させて上記ピンと上記係止部とを係合させるようにしている。
【０００３】
【発明が解決しようとする課題】
しかしながら、上記従来の譜面台の取り付け構造では、譜面台を適当な角度で保持するための機構の主要な部分をピアノ本体の上前板側に構成する必要があるので、製造が容易でない。また、譜面台の回動操作に慣れないと、上記ピンと上記係止部とを正確に係合させることが困難である場合があり、常に円滑に係合させるためには譜面台保持機構に高い精度が必要とされる。従って、構成が複雑であるという問題があった。
【０００４】
一方、電子楽器においては、音響特性向上のため比較的大きなスピーカボックスが設けられる場合がある。スピーカボックスの配設位置は種々あり得るが、大きいサイズのスピーカボックスになると、スペースの確保等が問題となる。一般的に、鍵盤の下方にはスペースがあるので、ここにスピーカボックスを配置することがある。しかしそうすると、演奏者にとって、音の「こもり」が起こるだけでなく、ひざがスピーカボックスに当たりやすいので、筐体全体を高くする必要がある。筐体全体を高くすると、こんどは演奏がしにくくなるので、結果としてスピーカボックスをあまり大きくできないという欠点があった。一方、例えば、スピーカボックスを鍵盤後部上方に設けることも考えられるが、鍵盤後部上方には通常譜面台が配置されるため、スピーカボックスのためにあまり大きいスペースを割くことができない。従って、譜面台及びスピーカボックスの配置に関し、改善の余地があった。
【０００５】
本発明は上記従来技術の問題を解決するためになされたものであり、その目的は、構成を複雑化することなく、単純な操作にて譜面台を所望の角度に固定保持することができる電子楽器の外装構造を提供することにある。
【０００６】
【課題を解決するための手段】
上記目的を達成するために本発明の請求項１の電子楽器の外装構造は、電子楽器本体に連設固定された固定台と、前記固定台の上部前面に設けられた蝶番と、前記固定台に前記蝶番を中心として回動自在に取り付けられ角度変更可能に構成された譜面台と、前記固定台に回動自在に取り付けられたステイと、前記譜面台の裏面に設けられ、係止部を有する第１の溝と回帰用の第２の溝とでループが形成されるガイド部と、前記ステイを前記譜面台の方向に付勢する付勢手段とを備え、前記ガイド部に前記ステイの回動端部を嵌合させると共に、前記譜面台の回動に伴い前記ステイが回動し該ステイの回動端部が前記ガイド部にガイドされて前記ループ内をスライド移動可能に構成し、前記ステイの回動端部が前記ループにおける前記第１の溝にあるときに前記譜面台の回動操作を止めることで、前記付勢手段の付勢力により前記ステイの回動端部が前記譜面台の方向に移動し、該回動端部が前記第１の溝の係止部に係止されて前記譜面台が所定角度位置で保持され得るように構成したことを特徴とする。
【０００７】
この構成により、譜面台の回動に伴いステイが回動し該ステイの回動端部がガイド部にガイドされてそのループ内をスライド移動する。ガイド部は、係止部を有する第１の溝と回帰用の第２の溝とでループが形成されるので、ステイの回動端部は、譜面台の回動の往行程では第１の溝をスライド移動して進み、譜面台の回動の復行程では第２の溝をスライド移動して戻る。そして、ステイの回動端部が前記ループにおける第１の溝にあるときに前記譜面台の回動操作を止めることで、付勢手段の付勢力により前記ステイの回動端部が前記譜面台の方向に移動し、該回動端部が前記第１の溝の係止部に係止されて前記譜面台が所定角度位置で保持される。ガイド部は、係止部を有する第１の溝と回帰用の第２の溝とでループが形成されるので、譜面台を適当な位置まで回動させるという簡単な動作で所望の位置に固定保持することができる。また、ガイド部は譜面台の裏面に設けられるので、スピーカボックス等の固定台側に複雑な加工をする必要がなく、製造が容易である。よって、構成を複雑化することなく、単純な操作にて譜面台を所望の角度に固定保持することができる。
上記目的を達成するために本発明の請求項２の電子楽器の外装構造は、電子楽器本体に連設固定された固定台と、該固定台に回動自在に取り付けられ角度変更可能に構成された譜面台と、前記固定台に回動自在に取り付けられたステイと、前記譜面台の裏面に設けられ、係止部を有する第１の溝と回帰用の第２の溝とでループが形成されるガイド部と、前記ステイを前記譜面台の方向に付勢する付勢手段とを備え、前記ガイド部に前記ステイの回動端部を嵌合させると共に、前記譜面台の回動に伴い前記ステイが回動し該ステイの回動端部が前記ガイド部にガイドされて前記ループ内をスライド移動可能に構成し、前記ステイの回動端部が前記ループにおける前記第１の溝にあるときに前記譜面台の回動操作を止めることで、前記付勢手段の付勢力により前記ステイの回動端部が前記譜面台の方向に移動し、該回動端部が前記第１の溝の係止部に係止されて前記譜面台が所定角度位置で保持され得るように構成し、さらに、前記第１の溝と前記第２の溝との間に、一方向にのみ撓み得るように設けられた逆止部材を備え、該逆止部材が前記一方向に撓んだときにのみ、前記第１の溝と前記第２の溝とが連通状態とされて、前記ループにおける前記第１の溝から前記第２の溝への前記ステイの前記回動端部の移動が可能となるように構成したことを特徴とする。
【０００８】
また、請求項３の電子楽器の外装構造は、上記請求項１または２記載の構成において、前記固定台は、鍵盤の後方において前記電子楽器本体の上部に配設されたスピーカボックスであって、前記電子楽器本体の略全幅に等しい幅を有することを特徴とする。
【０００９】
この構成により、前記固定台は、鍵盤の後方において前記電子楽器本体の上部に配設されたスピーカボックスであって、前記電子楽器本体の略全幅に等しい幅を有するので、鍵盤後部上方（屋根板上方）のスペースを有効に利用して、内容積が大きいスピーカボックスを配設可能であり、良好な音響特性を得ることができる。さらに譜面台はスピーカボックスに設けられるので、譜面台の配置スペースも確保される。よって、譜面台及びスピーカボックスの機能を確保しつつ、部品点数の削減、楽器のコンパクト化を図ることができる。
【００１０】
【発明の実施の形態】
以下、本発明の実施の形態を図面を参照して説明する。
【００１１】
図１は、本発明の一実施の形態に係る電子楽器の外装構造の構成を示す側面図である。
【００１２】
電子楽器本体１０は、側板等の脚体１０１と該脚体１０１の上部に配設され鍵盤１１及び音源等（図示せず）を内蔵した楽器筐体１０２とからなる。鍵盤１１の後方における電子楽器本体１０の上面１０ａには、スピーカボックス２０（固定台）が配設されている。スピーカボックス２０の前面２０ａには、譜面台３０が取り付けられている。
【００１３】
図２は、図１の左斜め上方（矢印Ａ）からみたスピーカボックス２０を示す平面図である。ただし、同図では、後述する譜面台３０のガイド部３３（３３Ｌ、３３Ｒ）に譜面台保持部Ｍのステイ５０のピン５３が嵌合していない状態が現されており、また、後述する蝶番３８も譜面台３０に固着されていない状態で示されている（組み付け後使用時にはありえない状態）。譜面台３０は通常の使用時（起立状態）における角度位置に示されている。
【００１４】
スピーカボックス２０には、左右両側に側板６３が固着されている。スピーカボックス２０は、側板６３を含み電子楽器本体１０の略全横幅に亘る長さに形成され、また、図１に示すように、鍵盤１１の後部近傍から電子楽器本体１０の後部に亘る奥行きで構成されている。従って、電子楽器本体１０の上面１０ａの上方スペースが最大限に利用され、スピーカボックス２０のサイズ、特に内容積を大きくすることができ、良好な音響特性に寄与している。
【００１５】
スピーカボックス２０には、スピーカ２１、２２、サランネット３９を取り付けるための止め孔２３、ポート孔２４、上当木６１、下当木６２、譜面台３０を取り付けるための蝶番３８等が設けられている。スピーカボックス２０にはさらに、譜面台保持部Ｍが設けられ、この譜面台保持部Ｍに譜面台３０を組み付けることで、後述するように譜面台３０の回動及び固定保持が可能になっている。譜面台３０は、スピーカボックス２０の幅方向の略中央において、スピーカ２１を覆わないような位置に配置される。これにより、スピーカボックス２０において音のこもりが防止され、スピーカボックス２０の良好な機能が維持される。
【００１６】
スピーカボックス２０は、後端下部（図１に示す矢印Ｂの指示部）において不図示の２つの蝶番により電子楽器本体１０の上面１０ａの後部に固定されている。両側板６３の演奏者側の内側面には、切り欠きが設けられ、この切り欠き内においてＬ字状の金具６４が両側板６３にそれぞれ取り付けられている。金具６４を上方からネジで止め、電子楽器本体１０の上面１０ａ（正確には楽器筐体１０２を構成する側板の上端面）に固定することにより、スピーカボックス２０が電子楽器本体１０に対して固定される。上方からのネジ止めで固定できるので、組み付けや取り外し作業がやりやすく、また、金具６４による固定を解けば、スピーカボックス２０は上記蝶番により後方に回動可能であるので、保守等が行いやすい。また、サランネット３９を被せれば金具６４は見えなくなるので、見栄えがよい。
【００１７】
図３は、譜面台保持部Ｍの部分拡大図である。また、図４は、譜面台３０及びスピーカボックス２０を含む譜面台保持部Ｍ近傍の部分断面図である。図４は、譜面台保持部Ｍの幅方向における略中央で切断した場合の断面を示すものである。以下、図３、図４を参照して説明する。
【００１８】
図４に示すように、スピーカボックス２０の前面２０ａには、固定部材５５がさらネジ等で固定され、譜面台保持部Ｍはこの固定部材５５を介して前面２０ａに固定されている。固定部材５５には回動軸５１が設けられ、回動軸５１には、ステイ５０が、該回動軸５１を中心に回動自在に支持されている。ステイ５０はまた、回動軸５１の近傍に設けられたコイルバネ５２により常に上方（図４の時計方向）に付勢されている。図３では、譜面台３０は組み付け前であるので、ステイ５０は自由状態であり、コイルバネ５２の付勢力により回動終端に位置している。ステイ５０の先端には、左右両側に円筒状のピン５３（回動端部）が突設されている。
【００１９】
譜面台３０は譜面板３２に譜面受け３１が連結されて構成される。スピーカボックス２０の前面２０ａには、上部に上当木６１、下部に下当木６２がそれぞれ設けられ、上当木６１には蝶番３８が設けられている。蝶番３８は一方の板片が譜面板３２に、他方の板片が上当木６１にそれぞれネジで固着され、これにより、譜面台３０が蝶番３８を中心として回動自在に支持されている。なお、譜面台３０は、少なくとも図４に示す起立状態（譜面板３２がスピーカボックス２０の前面２０ａと平行な状態）から水平状態（譜面板３２がスピーカボックス２０の天面２０ｂと平行な状態）まで回動可能である。
【００２０】
蝶番３８がスピーカボックス２０の上端で且つ前端の近傍（すなわちスピーカボックス２０の前端頂部近傍）に設けられているので、蝶番３８を中心に回動する行程において、譜面台３０の最上部が上方や奏者側に著しく突出することがなく、コンパクトになっている。また、小回り構造で操作がしやすい。すなわち、スピーカボックス２０の配設において、電子楽器本体１０の上面１０ａの上方スペースであって譜面台３０の後方のスペースを有効利用したことで、良好な音響特性を確保しつつスピーカボックス２０の高さを低く抑えることが可能となった反面、譜面台３０の高さがスピーカボックス２０よりも高くなったが、譜面台３０の回動中心である蝶番３８の上記配置によって、その弊害が緩和されている。
【００２１】
図４に示すように、譜面台３０の譜面板３２の裏面には、ガイド部３３が設けられている。ガイド部３３は、合成樹脂等で構成され、左右略対称に２つ（３３Ｌ、３３Ｒ）設けられる（図３）。譜面板３２の裏面には、取り付け用凹部３６が形成され（図３、図４）、ガイド部３３はここに固着されている。取り付け用凹部３６の底面３６ａによりガイド部３３の位置決めがなされると共に、取り付け用凹部３６を設けたことで譜面板３２とスピーカボックス２０の前面２０ａとの間隔を狭めることができる。
【００２２】
ガイド部３３には、長手方向に延びるリブ状のパーテーション３４とそれに連設された逆止部材３５（逆行停止部材）とが設けられ、パーテーション３４の譜面板３２側に第１の溝３３ａが、反譜面板３２側に回帰用のストレート状の第２の溝３３ｂがそれぞれ形成されている。第１の溝３３ａにおける譜面板３２側には複数の係止部３７が形成されている。
【００２３】
逆止部材３５は、パーテーション３４を基端として譜面板３２の上端方向に延び、弾性を有する。逆止部材３５の先端部は、譜面板３２方向への撓みが抑止される一方、反譜面板３２方向へは撓むことが可能になっており、反譜面板３２方向へ撓んだときには、第１の溝３３ａと第２の溝３３ｂとが連通して１つのループが形成されるようになっている。
【００２４】
譜面台３０を譜面台保持部Ｍに組み付けた状態では、図４に示すように、第１の溝３３ａ乃至第２の溝３３ｂに、ステイ５０の先端部のピン５３が嵌合されている。ピン５３は両溝３３ａ、３３ｂ内を摺動して移動可能な大きさに形成されている。係止部３７は、ピン５３が係脱可能な大きさに形成されている。
【００２５】
かかる構成において、譜面台３０を所望の角度に調節する動作を説明する。
【００２６】
まず、譜面台３０の起立状態（譜面板３２がスピーカボックス２０の前面２０ａと平行な状態）では、ステイ５０のピン５３はガイド部３３の第１の溝３３ａ内における譜面受け３１側にあり、コイルバネ５２の付勢作用によって譜面板３２方向に適当に押しつけられている。譜面台３０を図４の時計方向に回動させていくと、ピン５３は第１の溝３３ａにガイドされて譜面板３２の上端方向にスライド移動していく。適当な角度で譜面台３０の回動を止め、手を離すと、譜面台３０はその自重で反時計方向に少し回動するが、その際、ピン５３は常に譜面板３２側に付勢されているので、最寄りの（ピン５３より譜面受け３１側の直近の）係止部３７に嵌合し、係止される。これにより、譜面台３０が所望角度で保持される。なお、このとき、蝶番３８、回動軸５１及びピン５３の３点により、譜面台３０が所定角度に規定されて支持されることになる。
【００２７】
なお、譜面台３０の回動の往行程では、ピン５３が係止部３７の入り口３７ａから次の係止部３７の入り口３７ａに移動するとき、コイルバネ５２の付勢作用により、ピン５３がジャンプして「カチッ」と音がするので、奏者はこの音を合図に譜面台３０を戻せば、所望の角度に容易に調節することができる。どの位置で保持されるかが譜面台３０の裏面をみなくてもほぼわかり、また、一旦設定した角度が気に入らなければ、さらに時計方向に譜面台３０を回動させればよいので、使い勝手が良好である。
【００２８】
譜面台３０をさらに時計方向に回動させると、ピン５３は係止部３７から抜け、譜面台３０が水平状態（譜面板３２がスピーカボックス２０の天面２０ｂと平行な状態）になると、ピン５３は逆止部材３５を撓ませ、第１の溝３３ａから第２の溝３３ｂに移動する。その後、譜面台３０を反時計方向に回動させていくと、ピン５３は第２の溝３３ｂにガイドされて譜面受け３１方向にスライド移動していき、譜面台３０が元の起立状態に戻る。
【００２９】
このように、ループを形成する第１、第２の溝３３ａ、３３ｂ、係止部３７、及びコイルバネ５２の付勢作用が相まって、単純な動作にて自動に近い態様で譜面台３０の固定角度を調節することができる。
【００３０】
本実施の形態によれば、蝶番３８で譜面台３０を回動自在に支持すると共に、係止部３７を有する第１の溝３３ａと回帰用の第２の溝３３ｂとでループが形成されるガイド部３３により、ステイ５０のピン５３をガイドし、所望位置の係止部３７でピン５３が係止されるようにしたので、譜面台３０を適当な位置まで回動させるという簡単な動作で所望の位置に固定保持することができる。また、ガイド部３３は譜面板３２の裏面に設けたので、スピーカボックス２０側には固定部材５５、ステイ５０、コイルバネ５２等の配設だけで済み、複雑な加工をする必要がなく、製造が容易である。よって、構成を複雑化することなく、単純な操作にて譜面台を所望の角度に固定保持することができる。
【００３１】
また、スピーカボックス２０を、鍵盤後方であって電子楽器本体１０の上方に配設したので、鍵盤後部上方（屋根板上方）のスペースを有効に利用して、内容積が大きいスピーカボックスを配設可能であり、良好な音響特性を得ることが容易である。さらに譜面台３０はスピーカボックス２０に取り付けたので、譜面台３０の配置スペースにも支障がない。さらに、譜面台３０の回動中心である蝶番３８をスピーカボックス２０の前端頂部近傍に配置したことで、譜面台３０があらゆる角度において上方や奏者側に大きく突出することが防止され、楽器が大型化したり演奏の邪魔になったりすることが回避される。よって、譜面台及びスピーカボックスの機能を確保しつつ、部品点数の削減、楽器のコンパクト化を図ることができる。
【００３２】
また、譜面台３０を角度変更自在にしたことで、大人から子供まで対応でき、身長に合わせ好みの角度で使用することができる。その他、本電子楽器のような鍵盤楽器をマスター（指導者）として、合奏や合唱の練習をする場合、指導者は片手で伴奏または各パート、他方の手で指揮をとって練習するような場合がある。そのような場合、鍵盤楽器以外の奏者は、指導者の合図が見えにくいので、指導者は立って鍵盤を演奏する場合がある。すなわち、立って演奏したり座って演奏したりという繰り返しが頻繁に行われる場合がある。その場合でも、簡単な操作で譜面台３０の角度変更ができるので、見やすい角度にすぐさま調節することができ、有用である。
【００３３】
なお、譜面台３０は水平状態まで回動可能に構成したが、これに限るものでなく、譜面受け３１等の譜面台３０の出っ張り部分の位置を考慮して、必要最低限の角度を回動終端に設定すればよい。また、譜面台３０を水平状態にしたとき、譜面台３０の表面を簡易的な机として利用することも可能である。その際、ステイ５０の強度を高く設定する必要がある。これにより、立って演奏する場合や、本番に向けてのアーティキュレーションの楽譜への書き込み時等に便利である。
【００３４】
なお、左右のガイド部３３Ｌ、３３Ｒは樹脂で一体に形成してもよい。その場合は、ピン５３をガイド部３３に最初に組み付ける際に入り口が必要となる。この入り口は、ステイ５０のピン５３が第１の溝３３ａ、第２の溝３３ｂに常時嵌合する部分以外の位置（上記ループ以外の位置）に設けるようにする。
【００３５】
【発明の効果】
以上説明したように、本発明の請求項１、２に係る電子楽器の外装構造によれば、構成を複雑化することなく、単純な操作にて譜面台を所望の角度に固定保持することができる。
【００３６】
請求項３に係る電子楽器の外装構造によれば、譜面台及びスピーカボックスの機能を確保しつつ、部品点数の削減、楽器のコンパクト化を図ることができる。
【図面の簡単な説明】
【図１】  本発明の一実施の形態に係る電子楽器の外装構造の構成を示す側面図である。
【図２】  図１の左斜め上方（矢印Ａ）からみたスピーカボックスを示す平面図である。
【図３】  譜面台保持部Ｍの部分拡大図である。
【図４】  譜面台及びスピーカボックスを含む譜面台保持機構近傍の部分断面図である。
【符号の説明】
１０  電子楽器本体、  １０ａ  上面、  ２０  スピーカボックス（固定台）、  ３０  譜面台、  ３１  譜面受け、  ３２  譜面板、  ３３  ガイド部、  ３３ａ  第１の溝、  ３３ｂ  第２の溝、  ３５  逆止部材、  ３６  取り付け用凹部、  ３７  係止部、  ３８  蝶番、  ５０  ステイ、  ５１  回動軸、  ５２  コイルバネ、  ５３  ピン（回動端部）、  Ｍ  譜面台保持部
【図１】
0003666368.tif 000002
【図２】
0003666368.tif 000003
【図３】
0003666368.tif 000004
【図４】
0003666368.tif 000005